(57)【要約】【課題】流体を入れることのできる少なくとも２つの収容室を有する供給容器を提供することを課題とする。【解決手段】本発明に係る流体供給ユニットは、搭載部材及び複数の吐出ヘッドを含む。搭載部材は、組付け面と、組付け面に対向する表面と、組付け面から表面に延在される複数の貫通孔とを有する。複数の吐出ヘッドは、それぞれ複数の貫通孔に固定されると共に、組付け面から突出する。各吐出ヘッドは、吐出口を有する。各吐出ヘッドは、それぞれ各貫通孔を遮蔽する。流体は、複数の貫通孔のうちの１つの貫通孔を通過した後、複数の吐出口のうちの１つの吐出口から流出する。【選択図】図１Ａ
2015182817.tif 000002
【特許請求の範囲】
【請求項１】
組付け面と、前記組付け面に対向する表面と、前記組付け面から前記表面に延在される複数の貫通孔とを有する搭載部材と、
それぞれ前記複数の貫通孔に固定されると共に前記組付け面から突出し、それぞれ吐出口を有し、それぞれ前記複数の貫通孔を遮蔽し、流体が前記複数の貫通孔のうちの１つの貫通孔を通過した後、複数の前記吐出口のうちの対応する１つの吐出口から流出する、複数の吐出ヘッドと、
を含むことを特徴とする流体供給ユニット。
【請求項２】
前記搭載部材に接続されると共に前記組付け面上に固定され、それぞれ前記複数の貫通孔と連通する管孔を有すると共に前記組付け面から突出し、前記複数の吐出ヘッドがそれぞれロック固定される、複数のねじ付き管を更に含むことを特徴とする請求項１に記載の流体供給ユニット。
【請求項３】
前記複数の吐出ヘッドのそれぞれは、
前記組付け面上に装着される固定部材と、
回動可能に前記固定部材に装着されることで、軸心に沿って前記固定部材に対して回動し、前記軸心が前記回転部材、前記固定部材及び前記貫通孔を通る回転部材と、
前記吐出口を有すると共に前記回転部材に接続され、前記回転部材の側表面から突出する吐出部材と、
を含み、
それぞれ各前記軸心に沿って各前記固定部材に対して回動する各前記回転部材の回動によって、前記複数の吐出ヘッドが前記組付け面の縁部より外側に出ないように配置されることを特徴とする請求項１に記載の流体供給ユニット。
【請求項４】
それぞれ各前記軸心に沿って各前記固定部材に対して回動する各前記回転部材の回動によって、複数の前記吐出部材が複数の前記回転部材に当接され、複数の前記吐出部材が複数の前記回転部材に当接した場合、前記複数の吐出ヘッドが前記組付け面の前記縁部より外側に出ないように配置されることを特徴とする請求項３に記載の流体供給ユニット。
【請求項５】
前記複数の吐出ヘッド及び前記組付け面を覆う蓋体を更に含むことを特徴とする請求項１に記載の流体供給ユニット。
【請求項６】
前記複数の吐出ヘッドのそれぞれは、ポンプ式ディスペンサヘッドであることを特徴とする請求項１に記載の流体供給ユニット。
【請求項７】
前記複数の吐出ヘッドは、前記組付け面上において等角配置されていることを特徴とする請求項１に記載の流体供給ユニット。
【請求項８】
前記複数の吐出ヘッドの数は、２つ、３つ又は４つ以上であることを特徴とする請求項１に記載の流体供給ユニット。
【請求項９】
収容体と、
前記収容体内に配置されると共に、前記収容体内に複数の収容室を形成する仕切部材と、
前記収容体に組み付けられる流体供給ユニットと、
を備え、
前記流体供給ユニットは、
組付け面と、前記組付け面に対向する表面と、前記組付け面から前記表面に延在される複数の貫通孔とを有する搭載部材と、
それぞれ前記複数の貫通孔に固定されると共に前記組付け面から突出し、それぞれ前記複数の貫通孔を介して前記複数の収容室と一対一で連通する吐出口を有し、それぞれ前記複数の貫通孔を遮蔽する複数の吐出ヘッドと、
を含み、
前記搭載部材が、前記収容体と複数の吐出ヘッドとの間に位置することを特徴とする供給容器。
【請求項１０】
それぞれ一対一で前記複数の収容室内に配置されると共に、それぞれ一対一で前記複数の貫通孔を貫通し、それぞれ前記複数の吐出口と連通し、それぞれ前記複数の吐出ヘッドに接続される複数の吸引管を更に含むことを特徴とする請求項９に記載の供給容器。
【請求項１１】
前記流体供給ユニットは、
前記搭載部材に接続されると共に前記組付け面上に固定され、それぞれ前記複数の貫通孔と連通する管孔を有すると共に、前記組付け面から突出し、前記複数の吐出ヘッドがそれぞれ螺合される、複数のねじ付き管を更に含むことを特徴とする請求項９に記載の供給容器。
【請求項１２】
前記複数の吐出ヘッドのそれぞれは、
前記組付け面上に装着される固定部材と、
回動可能に前記固定部材に装着されることで、軸心に沿って前記固定部材に対して回動し、前記軸心が前記回転部材、前記固定部材及び前記貫通孔を通る回転部材と、
前記吐出口を有すると共に前記回転部材に接続され、前記回転部材の側表面から突出する吐出部材と、
を含み、
それぞれ各前記軸心に沿って各前記固定部材に対して回動する各前記回転部材の回動によって、前記複数の吐出ヘッドが前記組付け面の縁部より外側に出ないように配置されることを特徴とする請求項９に記載の供給容器。
【請求項１３】
それぞれ複数の前記軸心に沿って複数の前記固定部材に対して回動する複数の前記回転部材の回動によって、複数の前記吐出部材が複数の前記回転部材に当接され、複数の前記吐出部材が複数の前記回転部材に当接した場合、前記複数の吐出ヘッドが前記組付け面の前記縁部より外側に出ないように配置されることを特徴とする請求項１２に記載の供給容器。
【請求項１４】
前記流体供給ユニットは、前記複数の吐出ヘッド及び前記組付け面を覆う蓋体を更に含むことを特徴とする請求項９に記載の供給容器。
【請求項１５】
前記複数の吐出ヘッドのそれぞれは、ポンプ式ディスペンサヘッドであることを特徴とする請求項９に記載の供給容器。
【請求項１６】
前記複数の吐出ヘッドは、前記組付け面上において等角配置されていることを特徴とする請求項９に記載の供給容器。
【発明の詳細な説明】
【技術分野】
【０００１】
本発明は、流体を収納することのできる容器及びその容器の構成要素に関し、特に供給容器及びその流体供給ユニットに関する。
【背景技術】
【０００２】
現在市販されているシャンプー、リンス、ボディーソープ及び乳液（ｌｏｔｉｏｎ）といった洗浄剤製品及びスキンケア製品の多くは、個別に異なる容器に分けて入れられている。例えば、シャンプーは、通常、１つのポンプ式ディスペンサボトル（ｄｉｓｐｅｎｓｅｒ  ｐｕｍｐ  ｂｏｔｔｌｅ）内に入れられており、ボディーソープは、別のポンプ式ディスペンサボトル内に入れられている。従って、多くの使用者、特に女性の使用者は、体を洗う間及び洗い終わった後にこれら洗浄剤製品やスキンケア製品を随時使用することができるように、通常、浴室内に少なくとも１つのシャンプー、１つのボディーソープ、１つのリンス及び１つの乳液の容器をそれぞれ置いている。
【０００３】
しかしながら、これら洗浄剤製品やスキンケア製品は、いずれも異なる容器に入れられているため、浴室内が常に様々な容器の洗浄剤製品やスキンケア製品で溢れ、浴室内の多くの空間がこれら洗浄剤製品及びスキンケア製品によって占拠されることになっている。そのため、浴室空間が一般的に狭い都市部において、使用者が、これら様々な容器の洗浄剤製品やスキンケア製品について、浴室内の置き場所に困るという問題があった。
【発明の概要】
【発明が解決しようとする課題】
【０００４】
本発明は、流体を入れることのできる少なくとも２つの収容室を有する供給容器を提供することを課題とする。
【０００５】
本発明は、流体を排出させることのできる少なくとも２つの吐出ヘッドを有する流体供給ユニットを提供することを課題とする。
【課題を解決するための手段】
【０００６】
本発明に係る流体供給ユニットは、搭載部材及び複数の吐出ヘッドを含む。搭載部材は、組付け面と、組付け面に対向する表面と、組付け面から表面に延在する複数の貫通孔とを有する。複数の吐出ヘッドは、それぞれ複数の貫通孔に固定されると共に、組付け面から突出する。各吐出ヘッドは、吐出口を有する。各吐出ヘッドは、それぞれ各貫通孔を覆う。流体は、複数の貫通孔のうちの１つの貫通孔を通過した後、複数の吐出口のうちの１つの吐出口から流出する。
【０００７】
本発明に係る供給容器は、収容体と、仕切部材と、上述した流体供給ユニットとを含む。仕切部材は、収容体内に配置され、それにより収容体内に複数の収容室が形成される。流体供給ユニットは、収容体に組み付けられ、搭載部材は、複数の吐出ヘッドと収容体との間に位置する。複数の吐出口は、それぞれ複数の貫通孔を介して複数の収容室と一対一で連通する。
【発明の効果】
【０００８】
各収容室は、少なくとも２種類の流体（例えば洗浄剤製品及びスキンケア製品）を収容することができる。流体は、複数の貫通孔のうちの１つの貫通孔を通過した後、複数の吐出口のうちの前記貫通孔に対応する１つの吐出口から流出する。従って、本発明は、複数種類の流体を、同一の供給容器内に入れることができる。従来の各種容器内に個別に入れられている洗浄剤製品やスキンケア製品に比べ、本発明に係る供給容器は、複数の洗浄剤製品やスキンケア製品を入れることができるため、空間が占有されることを低減し、狭い空間で使用するのに有利である。
【図面の簡単な説明】
【０００９】
【図１Ａ】本発明の１つの実施例に係る供給容器を示す斜視図である。
【図１Ｂ】図１Ａにおける供給容器を示す分解図である。
【図１Ｃ】図１Ｂにおける流体供給ユニットを示す斜視図である。
【図１Ｄ】図１Ｃにおける流体供給ユニットを示す平面図である。
【図２】本発明の他の実施例に係る流体供給ユニットを示す斜視図である。
【図３】本発明の他の実施例に係る流体供給ユニットを示す平面図である。
【図４】本発明の他の実施例に係る流体供給ユニットを示す平面図である。
【発明を実施するための形態】
【００１０】
図１Ａは、本発明の１つの実施例に係る供給容器を示す斜視図である。図１Ｂは、図１Ａにおける供給容器を示す分解図である。図１Ａ及び図１Ｂに示すように、供給容器１００は、収容体１１０、仕切部材１２０及び流体供給ユニット２００を含む。仕切部材１２０は、収容体１１０内に配置されると共に、収容体１１０内に複数の収容室Ｓ１を形成する。仕切部材１２０は、複数の仕切板から形成されることができる。図１Ｂを例にすると、仕切部材１２０は、４つの仕切板が互いに接続されて形成されることができる。これら仕切板の断面形状が十字形となる仕切部材１２０を形成することで、仕切部材１２０によって収容体１１０内に４つの収容室Ｓ１が形成される。この４つの仕切板は、それぞれの一側を介して一体に接続される。例えば、図１Ｂに示すように、４つの仕切板は、断面視において十字に交差する中心部の一側において一体に接続されている。また、仕切部材１２０は収容体１１０と一体に形成されていてもよい。例えば、仕切部材１２０の他側が収容体１１０に一体に接続されていてもよい。
【００１１】
複数の収容室Ｓ１は、少なくとも２種類の流体（図示せず）を収容することができる。この流体は、液体又はビンガム流体（Ｂｉｎｇｈａｍ  ｆｌｕｉｄ。Ｂｉｎｇｈａｍ  ｐｌａｓｔｉｃともいう）であってもよい。また、上述した流体は、洗浄剤製品、スキンケア製品又は食品であってもよい。例えば、各収容室Ｓ１は、シャンプー、ボディーソープ、洗顔料若しくは洗剤等の洗浄剤製品を収容することができ、又は、乳液（ｌｏｔｉｏｎ）若しくはリンス等のスキンケア製品を収容することができ、又は、蜂蜜、メープルシロップ、トマトケチャップ、酢、ごま油若しくは醤油等の食品を収容することができる。従って、供給容器１００は、少なくとも２種類の洗浄剤製品、少なくとも２種類のスキンケア製品又は少なくとも２種類の食品を入れることができる。
【００１２】
流体供給ユニット２００は、収容体１１０に組み付けることができる。流体供給ユニット２００と収容体１１０との間の組み付け方式は、中間ばめ（ｔｒａｎｓｉｔｉｏｎ  ｆｉｔ）、ロック固定（ｌｏｃｋｉｎｇ）又は螺合（ｓｃｒｅｗｉｎｇ）であってもよい。流体供給ユニット２００によって、使用者は、選択的に収容室Ｓ１のうちの１つから流体（例えばシャンプー、乳液又はメープルシロップ）を引き出して（ｄｅｒｉｖｉｎｇ）使用することができる。また、図示していない他の実施例において、流体供給ユニット２００は、収容体１１０以外に、複数種類の流体が個別に収容された、独立した複数の収容ボトルに組み付けることも可能である。流体供給ユニット２００を各収容ボトルに組み付ける方法も、中間ばめ、ロック固定又は螺合であってよい。
【００１３】
流体供給ユニット２００は、搭載部材２１０、複数の吐出ヘッド２２０及び複数のねじ付き管２３０を含む。搭載部材２１０は、組付け面２１１を有する。各ねじ付き管２３０は、搭載部材２１０に接続されると共に、組付け面２１１上に固定される。本実施例において、組付け面２１１は平面であってもよい。従って、各ねじ付き管２３０は、いずれも搭載部材２１０における平面（即ち組付け面２１１）上に位置している。各ねじ付き管２３０は、管孔２３１を有すると共に、組付け面２１１から突出する。各吐出ヘッド２２０は、それぞれ各ねじ付き管２３０と螺合する。これにより、各吐出ヘッド２２０は、組付け面２１１上に固定されることができると共に、組付け面２１１から突出する。従って、搭載部材２１０は、各吐出ヘッド２２０と収容体１１０との間に位置する。
【００１４】
図１Ｃは、図１Ｂにおける流体供給ユニットを示す斜視図である。図１Ｂ及び図１Ｃに示すように、搭載部材２１０は、複数の貫通孔２１２と、組付け面２１１に対向する表面２１３とを更に有する，各貫通孔２１２は、組付け面２１１から表面２１３に延在される、つまり組付け面２１１から表面２１３に向かって貫通すると共に、それぞれ各管孔２３１と連通する。図１Ｂに示す実施例において、各管孔２３１及び各貫通孔２１２は同一方向に延在されると共に、図１Ｂ及び図１Ｃにおける各管孔２３１とその下方の貫通孔２１２とは、同軸（ｃｏａｘｉａｌ）であってもよい。各吐出ヘッド２２０は、それぞれ各ねじ付き管２３０と螺合した後、それぞれ各貫通孔２１２に固定されることができると共に、それぞれ貫通孔２１２を遮蔽するように覆う。
【００１５】
他の実施例において、吐出ヘッド２２０は、他の方式を採用すると共に、ねじ付き管２３０を介さずに組付け面２１１上に固定されてもよい。例えば、吐出ヘッド２２０の一端の側面に雄ねじが設けられ、貫通孔２１２の内壁にこの雄ねじに対応する雌ねじが設けられてもよい。これにより、吐出ヘッド２２０は、貫通孔２１２内に螺合されることができ、ひいては組付け面２１１上に固定されることができる。従って、吐出ヘッド２２０が組付け面２１１上に固定される手段は、ねじ付き管２３０のみに限定されない。
【００１６】
本実施例において、各吐出ヘッド２２０は、ポンプ式ディスペンサヘッド（ｄｉｓｐｅｎｓｅｒ  ｐｕｍｐ  ｈｅａｄ）であり、各収容室Ｓ１内の流体を抽出するのに用いられる。具体的には、各吐出ヘッド２２０は吐出口２２２ａを有すると共に、各吐出口２２２ａがそれぞれ各貫通孔２１２を介して各収容室Ｓ１と一対一で連通する。吐出ヘッド２２０のうちの１つによって、対応する収容室Ｓ１内の流体が抽出されると、流体は貫通孔２１２を通過すると共に、この貫通孔２１２を通過した後、上述した吐出ヘッド２２０の吐出口２２２ａから流出する。これにより、使用者は、吐出口２２２ａから流体を得ることができる。
【００１７】
具体的には、供給容器１００は、それぞれ各吐出ヘッド２２０に接続される複数の吸引管１３０を更に含む。各吸引管１３０は、それぞれ各吐出口２２２ａと連通されることができる。各吸引管１３０は、それぞれ一対一で各収容室Ｓ１内に配置されると共に、それぞれ一対一で各貫通孔２１２を貫通する。吐出ヘッド２２０がポンプ式ディスペンサヘッドである条件下で、使用者が吐出ヘッド２２０のうちの１つを押した場合、この吐出ヘッド２２０に対応する収容室Ｓ１内の流体が、気圧差により吸引管１３０内に流入すると共に、吸引管１３０を経由して貫通孔２１２を通過する。その後、この流体は、押された吐出ヘッド２２０の吐出口２２２ａから流出する。
【００１８】
また、図１Ａ及び図１Ｂの実施例において、流体供給ユニット２００は収容体１１０と螺合してもよい。詳しくは、まず、収容体１１０における各収容室Ｓ１内にはそれぞれ複数種類の流体が入れられている。次いで、流体供給ユニット２００が収容体１１０に組み付けられることができるように、搭載部材２１０が収容体１１０と螺合される。その後、吸引管１３０が接続された各吐出ヘッド２２０がそれぞれ各ねじ付き管２３０と螺合されることで、各吸引管１３０がそれぞれ管孔２３１及び貫通孔２１２（図１Ｃ参照）に挿入される。これにより、供給容器１００の組み付けは基本的に完了する。
【００１９】
図１Ａに示すように、また、吐出ヘッド２２０のうちの１つの頂端Ｔ１の色は、他の吐出ヘッド２２０の頂端Ｔ１の色とは異なっていてもよい。例えば、各吐出ヘッド２２０は全体の色が互いに異なっていてもよく、或いは各吐出ヘッド２２０は頂端Ｔ１の色のみが互いに異なっていてもよい。各頂端Ｔ１の色が異なることにより、使用者は、所望の流体をそれぞれ正確に手に取ることができ、吐出ヘッド２２０を選び損ねて、間違った流体を手に取ることを低減することができる。
【００２０】
図１Ｂ及び図１Ｃに示すように、各吐出ヘッド２２０は、固定部材２２１ａ、回転部材２２１ｂ及び吐出部材２２２を含む。固定部材２２１ａは、ねじ付き管２３０と螺合されることで組付け面２１１上に装着することできる。吐出部材２２２は、吐出口２２２ａを有すると共に、回転部材２２１ｂに接続される。図１Ｂ及び図１Ｃから分かるように、吐出部材２２２は回転部材２２１ｂの側表面から突出する。回転部材２２１ｂは、回動可能に固定部材２２１ａに装着されることで、軸心Ａ１に沿って固定部材２２１ａに対して回動することができる。軸心Ａ１は、回転部材２２１ｂ、固定部材２２１ａ、管孔２３１及び貫通孔２１２を通ると共に、組付け面２１１の法線に沿って延在されることができる。軸心Ａ１は、例えば回転部材２２１ｂ、固定部材２２１ａ、管孔２３１及び貫通孔２１２の概ね中心部を通る。
【００２１】
図１Ｄは、図１Ｃにおける流体供給ユニットを示す平面図である。図１Ｃ及び図１Ｄに示すように、図１Ｄに示す回転部材２２１ｂは、図１Ｃの状態から回動した後の回転部材２２１ｂである。従って、図１Ｄの状態における各吐出部材２２２同士の相対位置は、図１Ｃの状態における各吐出部材２２２同士の相対位置とは異なる。
【００２２】
各吐出ヘッド２２０は、組付け面２１１上において、組付け面２１１の中心に対して概ね等角、つまり概ね等間隔となるように配置されている。図１Ｄを例にすると、４つの軸心Ａ１は、実質的にそれぞれ１つの正方形の４つの頂点に位置することができる。また、各吐出ヘッド２２０において、回転部材２２１ｂが軸心Ａ１に沿って固定部材２２１ａに対して回動した場合、それぞれ軸心Ａ１に沿って固定部材２２１ａに対して回動する各回転部材２２１ｂによって、全ての吐出ヘッド２２０がいずれも組付け面２１１の縁部２１１ｅより外側に出ないようにすることができる。
【００２３】
図１Ｄに示す実施例において、吐出ヘッド２２０の吐出部材２２２は、他の吐出ヘッド２２０の回転部材２２１ｂによる干渉を受ける。即ち、軸心Ａ１に沿って固定部材２２１ａに対して回動する回転部材２２１ｂによって、吐出ヘッド２２０の吐出部材２２２が他の吐出ヘッド２２０の回転部材２２１ｂに当接する。それぞれ軸心Ａ１に沿って固定部材２２１ａに対して回動する各回転部材２２１ｂによって、全ての吐出部材２２２が回転部材２２１ｂに当接した場合、各吐出ヘッド２２０は縁部２１１ｅより外側に出ることはない。
【００２４】
全ての吐出ヘッド２２０が組付け面２１１の縁部２１１ｅより外側に出ない場合、各吐出部材２２２は、必ずしもその全てが回転部材２２１ｂに当接するわけではない。たとえ１つの、又は複数の、又は全ての吐出部材２２２が回転部材２２１ｂに当接していなかったとしても、各吐出ヘッド２２０は組付け面２１１の縁部２１１ｅの外側に出ることはない。従って、全ての吐出部材２２２が回転部材２２１ｂに当接することは、各吐出ヘッド２２０が縁部２１１ｅの外側に出ないようにするための必要条件ではない。
吐出部材２２２の形状は、例えば図１Ａ〜図１Ｄに示すように、軸心Ａ１と交差する平面視において、回転部材２２１ｂの側方から突出しつつ、回転部材２２１ｂから離れる先端ほど狭まるように形成されている。これにより、吐出部材２２２を回転させることで、各吐出ヘッド２２０が縁部２１１ｅの外側に出ないようにすることができる。これにより、供給容器１００の収容性を向上させることができる。
【００２５】
図２は、本発明の他の実施例に係る流体供給ユニットを示す斜視図である。図２に示すように、図２の流体供給ユニット２００’と上述した流体供給ユニット２００との相違点は、蓋体２４０があるかないかである。即ち、流体供給ユニット２００’は、実質的に流体供給ユニット２００及び蓋体２４０を含む。各吐出ヘッド２２０が組付け面２１１の縁部２１１ｅより外側に出ないようにすることができるため、蓋体２４０は、吐出ヘッド２２０の干渉を一切受けることなく、各吐出ヘッド２２０を保護するように、各吐出ヘッド２２０及び組付け面２１１を覆うことができる。また、蓋体２４０は、搭載部材２１０と結合されることができる。例えば、蓋体２４０は、中間ばめ、ロック固定又は螺合等の方式を用いて搭載部材２１０と結合されることができる。
【００２６】
上述した流体供給ユニット２００又は流体供給ユニット２００’に含まれる吐出ヘッド２２０の数は４つであるが、図３又は図４に示すように、他の実施例において、流体供給ユニットに含まれる吐出ヘッドの数は、２つ、３つ又は４つ以上であってもよい。
【００２７】
図３及び図４に示すように、流体供給ユニット３００及び流体供給ユニット４００は、上述した実施例に係る流体供給ユニット２００に類似しており、流体供給ユニット３００及び流体供給ユニット４００と流体供給ユニット２００との相違点は、吐出ヘッド２２０の数が異なる点である。具体的には、図３に示す流体供給ユニット３００は、３つの吐出ヘッド２２０を含み、この３つの吐出ヘッド２２０は、組付け面２１１の中心に対して概ね等角、つまり概ね等間隔に配置されると共に組付け面２１１上に固定されている。図４に示す流体供給ユニット４００は、２つの吐出ヘッド２２０を含み、この２つの吐出ヘッド２２０は、組付け面２１１の中心に対して概ね等角、つまり概ね等間隔に配置されると共に組付け面２１１上に固定されている。
【００２８】
また、図３の流体供給ユニット３００及び図４の流体供給ユニット４００において、全ての吐出ヘッド２２０がいずれも組付け面２１１の縁部２１１ｅより外側に出ないようにすることができる。従って、図２における蓋体２４０は、流体供給ユニット３００及び流体供給ユニット４００にも用いることができる。即ち、蓋体２４０は、流体供給ユニット３００又は流体供給ユニット４００における吐出ヘッド２２０及び組付け面２１１を覆うことができる。
【００２９】
上述した実施例においては、いずれも吐出ヘッド２２０がポンプ式ディスペンサヘッドであることを例として説明したが、他の実施例において、吐出ヘッド２２０は、ポンプ式ディスペンサヘッドでなくともよい。例えば、吐出ヘッド２２０は、醤油差しや酢差し等の調味料用瓶に用いる蓋に換えてもよい。従って、上述した実施例における吐出ヘッド２２０は、ポンプ式ディスペンサヘッドのみに限定されず、また供給容器１００は、吸引管１３０を用いて洗剤、乳液、蜂蜜、メープルシロップ又は醤油等の流体を引き出すものでなくともよい。
【００３０】
このように、本発明に係る供給容器は、各収容室に少なくとも２種類の流体（例えば洗浄剤製品及びスキンケア製品）を収容することができるため、流体供給ユニットによって、使用者は、選択的に収容室のうちの１つから流体を引き出して使用することができる。即ち、本発明は、複数種類の流体を、同一の供給容器内に入れることができる。従来の各種容器内に個別に入れられている洗浄剤製品やスキンケア製品に比べ、本発明に係る供給容器は、複数の洗浄剤製品やスキンケア製品を入れることができるため、空間が占有されることを低減し、浴室空間が一般的に狭い都市部において使用するのに有利である。
【００３１】
次いで、本発明に係る供給容器は、複数の洗浄剤製品又はスキンケア製品を入れることができるため、更に旅行や出張に出かける際に上述した複数の洗浄剤製品又はスキンケア製品を入れて携行することが可能であり、各種容器に個別に入れられた洗浄剤製品又はスキンケア製品を携行する必要がない。これにより、本発明に係る供給容器は、旅行や出張に出かける際に携行するのに便利であり、旅行用の洗浄剤製品セット又はスキンケア製品セットとして用いることが可能である。
【００３２】
また、本発明に係る供給容器は、例えば蜂蜜、メープルシロップ、トマトケチャップ、酢、ごま油及び醤油といった複数の食品を入れることができる。従来の例えば醤油差し、酢差し及びメープルシロップ入りの瓶といった、キッチンや食卓上によく置かれている各種容器に個別に入れられた調味料用瓶に比べ、本発明に係る供給容器は、これら各種容器に個別に入れられた調味料用瓶に取って代わることができ、キッチンスペースや食卓面積の占有を低減することが可能である。また、上述した複数の食品が入れられた供給容器も、携行に便利な旅行用調味料用瓶として用いることが可能である。
【００３３】
以上は本発明の実施例に過ぎず、本発明の特許請求の範囲を限定するものではない。当業者が本発明の主旨を逸脱しない範囲においてなした等価の変更や修正は、依然として本発明の特許請求の範囲に含まれる。
【符号の説明】
【００３４】
１００  供給容器
１１０  収容体
１２０  仕切部材
１３０  吸引管
２００、２００’、３００、４００  流体供給ユニット
２１０  搭載部材
２１１  組付け面
２１２  貫通孔
２１３  表面
２２０  吐出ヘッド
２２１ａ  固定部材
２２１ｂ  回転部材
２１１ｅ  縁部
２２２  吐出部材
２２２ａ  吐出口
２３０  ねじ付き管
２３１  管孔
２４０  蓋体
Ａ１  軸心
Ｓ１  収容室
Ｔ１  頂端
【図１Ａ】
2015182817.tif 000003
【図１Ｂ】
2015182817.tif 000004
【図１Ｃ】
2015182817.tif 000005
【図１Ｄ】
2015182817.tif 000006
【図２】
2015182817.tif 000007
【図３】
2015182817.tif 000008
【図４】
2015182817.tif 000009